(57)【要約】【課題】  車両の走行状態検出データを積算して車両位置を推定する車両位置推定装置において、周囲にマップマッチングの対象となる特徴物が存在しない場合や、路面状況が変化して走行状態検出データの検出値と実際値が乖離してしまった場合でも、高精度に車両位置を推定することができる車両位置推定装置を提供する。【解決手段】  デッドレコニングにおいて用いられる車両の走行状態検出データ（車両速度及びヨーレート）を、車両と周辺物との関係から算出された走行状態算出データに基づいて補正する。車両速度の補正係数ＣSは、タイヤスリップ率λと車両加速度ａXの関係の蓄積データから、関係式λ＝Ｋ・ａX＋ｂにおける係数Ｋ及びｂを求め、関係式ＣS=１／（１−Ｋ・ａX−ｂ）を用いて算出する。タイヤスリップ率λは、車両と周辺物との関係から算出された車両速度ＶMと、車輪速センサ１によって検出された車輪速ＶCと、車両加速度ａXとから算出する。【選択図】      図３
2017122960.tif 000002
【特許請求の範囲】
【請求項１】
車両の走行状態を示す走行状態検出データを検出する検出手段と、前記走行状態検出データを積算して前記車両の位置を推定する車両位置推定手段とを備えた車両位置推定装置において、
前記車両と周辺物との関係に基づいて、車両の走行状態を示す走行状態算出データを算出する走行状態算出データ演算手段と、
前記走行状態検出データと前記走行状態算出データを比較することにより、前記走行状態検出データを補正する走行状態検出データ補正手段と
を備えた車両位置推定装置。
【請求項２】
請求項1に記載の車両位置推定装置において、
前記走行状態検出データは、前記車両の車両速度及びヨーレートである車両位置推定装置。
【請求項３】
請求項１又は請求項２に記載の車両位置推定装置において、
前記走行状態検出データ補正手段は、前記走行状態検出データ及び前記走行状態算出データを蓄積データとして蓄積するとともに、前記蓄積データに基づいて、前記走行状態検出データの補正方法を決定する車両位置推定装置。
【請求項４】
請求項３に記載の車両位置推定装置において、
前記走行状態検出データ補正手段は、前記走行状態算出データ演算手段により算出された車両速度ＶMと、前記車両の車輪回転速度から算出された車両速度ＶCと、車両加速度ａXとからタイヤスリップ率λを算出するとともに、前記タイヤスリップ率λと前記車両加速度ａXのデータを前記蓄積データとして蓄積し、前記蓄積データの線形補間により、スリップ率と車両加速度ａXの関係式
λ＝Ｋ・ａX＋ｂ
における係数Ｋ及びｂを算出し、車両速度データに乗じるべき補正係数ＣSを、関係式
ＣS=１／（１−Ｋ・ａX−ｂ）
から算出する車両位置推定装置。
【請求項５】
請求項３又は請求項４に記載の車両位置推定装置において、
前記走行状態検出データ補正手段は、所定数以上の前記蓄積データが蓄積されたときに、前記補正方法を更新する車両位置推定装置。
【請求項６】
請求項３から請求項５のいずれか１項に記載の車両位置推定装置において、
前記走行状態検出データ補正手段は、前記車両の走行環境の変化に応じて前記補正方法を変更する車両位置推定装置。
【請求項７】
請求項５に記載の車両位置推定装置において、
前記走行状態検出データ補正手段は、前記車両の走行環境が雨の降っている状態から雨が降り止んだ状態に変化した場合に、雨が降っている状態における補正方法を、雨が降り止んでから所定時間にわたって継続する車両位置推定装置。
【発明の詳細な説明】
【技術分野】
【０００１】
本発明は、車両の走行状態検出データを積算して車両位置を推定する車両位置推定装置に関するものである。
【背景技術】
【０００２】
従来から、車両の走行状態検出データ（車両の走行状態を示す検出データ、例えば車両速度及びヨーレート）を積算して車両位置を推定する技術（いわゆるデッドレコニング（オドメトリ））を用いた車両位置推定装置が知られている。また、環境地図とのマッチングにより車両位置を同定する技術（いわゆるマップマッチング（例えばＳＬＡＭ技術））をデッドレコニングと組み合わせて用いることにより、車両位置推定の精度を高めた車両位置推定装置も知られている。
【０００３】
図４には、デッドレコニングとマップマッチングを組み合わせて用いた従来の車両位置推定の概要を示す。図の（Ａ）に示されるように、デッドレコニングは、１０ｍｓ毎に実行される。デッドレコニングにおいては、走行状態検出データとして車両速度とヨーレートが検出され、ヨーレートの方向に車両速度を積算することにより、推定走行ルート１０２が求められる。
【０００４】
一方、マップマッチングによる車両位置の同定は８０ｍｓ毎に実行される。図示されるように、このマップマッチングのタイミングにおいて、デッドレコニングにおける車両推定位置１０３は、誤差の蓄積によって、マップマッチングによって同定される正しい位置１０４からずれている。したがって、デッドレコニングにおける車両推定位置を正しい位置１０４に修正し、デッドレコニングを正しい位置１０４から継続する。同様に、次のマップマッチングのタイミングにおいては、デッドレコニングにおける車両推定位置１０５が、正しい位置１０６に修正される。図の（Ｂ）には、このようにしてマップマッチングを用いて修正された推定走行ルート１０７を示している。このように、デッドレコニングにおいて車両推定位置に誤差が蓄積したとしても、マップマッチングが行なわれるタイミングで車両推定位置が正しい位置に修正されるので、車両位置推定の精度が維持されるようになっている。また、デッドレコニングは高頻度で実行される一方で、計算量の多いマップマッチングは低頻度で実行されるので、全体として演算負荷も抑制されるようになっている。
【０００５】
また、このような技術としては、例えば特許文献1に、オドメトリとマップマッチングを組み合わせて移動体位置を推定する方法において、オドメトリによる推定がずれやすい場所を通過したときにのみ、マップマッチングを実行するようにするようにして、演算コストを低減した発明が開示されている。また、特許文献２には、マップ情報から特定された位置情報と、所定の検出ラインを検出する第１と第２の時間差とに基づいて、基準点に対する移動体の相対的な位置と移動方向を算出する移動体制御システムが開示されている。
【先行技術文献】
【特許文献】
【０００６】
【特許文献１】特開２０１２−１２８７８１
【特許文献２】特開２００９−２３７８５１
【発明の概要】
【発明が解決しようとする課題】
【０００７】
しかしながら、上記のような従来の車両位置推定装置には、以下に述べるような問題点があった。まず第１に、進行方向に特徴の乏しい直線路のような場所においては、マップマッチングによって幅方向の補正を行うことはできるが、進行方向の補正を行うことができないので、車両位置推定精度が悪化してしまう。また第２に、車両の周囲にマッチング対象となる周辺物（構造物等）が存在しない場合や、渋滞時に隣接車両が邪魔になるとき等、マッチング対象物の検出が阻害されてしまう場合には、マップマッチング自体を行うことができない。また第３に、雨天時等の路面状況の変化によってスリップ率が変化して、車速センサによる車両速度の計測値と実車速の乖離が大きくなった場合には、デッドレコニング自体の精度が低下してしまう。
【０００８】
本発明は、以上のような事情を勘案してなされたもので、その目的は、車両の走行状態検出データを積算して車両位置を推定する車両位置推定装置において、周囲にマップマッチングの対象となる特徴物が存在しない場合や、路面状況が変化して走行状態検出データの検出値と実際値が乖離してしまった場合でも、高精度に車両位置を推定することができる車両位置推定装置を提供することである。
【課題を解決するための手段】
【０００９】
前記目的を達成するため、本発明にあっては、次のような解決方法を採択している。すなわち、請求項１に記載のように、
車両の走行状態を示す走行状態検出データを検出する検出手段と、前記走行状態検出データを積算して前記車両の位置を推定する車両位置推定手段とを備えた車両位置推定装置において、
前記車両と周辺物との関係に基づいて、車両の走行状態を示す走行状態算出データを算出する走行状態算出データ演算手段と、
前記走行状態検出データと前記走行状態算出データを比較することにより、前記走行状態検出データを補正する走行状態検出データ補正手段と
を備えている。
【００１０】
上記解決手法によれば、車両位置推定手段による車両位置推定（デッドレコニング）において用いられる走行状態検出データ（例えば車両速度の検出データ）は、走行状態算出データ演算手段により算出された走行状態算出データ（例えばマップマッチングに基づいて算出された車両速度）に基づいて補正されるので、実際の走行状態をより正しく反映したものとなる。すなわち、走行状態算出データ演算手段により算出された走行状態算出データは、車両と周辺物との関係に基づいて（例えばマップマッチングを用いて）算出されたものであり、実際の走行状態をほぼ正しく反映したものであるので、走行状態算出データに基づいて走行状態検出データを補正することにより、走行状態検出データを、より実際値に近いものとできる。このように、走行状態検出データ自体が、より実際値に近い値に補正されるので、デッドレコニングにおける誤差の蓄積が抑制され、デッドレコニング自体の精度が向上し、また、走行状態検出データと実際値との乖離が大きくなるような走行環境においても、デッドレコニングの精度が低下しないようにできる。また、この場合、走行状態算出データの取得（マップマッチング）は、車両と周辺物との関係が検出可能なとき（マッチング対象物が存在するとき）に行っておけばよいので、マップマッチングを実行できないときでも、それまでに取得されていた走行状態算出データに基づいて、走行状態検出データを補正することができ、高精度の車両位置推定を継続的に行うことができる。
【００１１】
上記解決手法を前提とした好ましい態様は、特許請求の範囲における請求項２以下に記載の通りである。すなわち、前記走行状態検出データは、前記車両の車両速度及びヨーレートである（請求項２対応）。この場合、走行状態検出データである車両速度及びヨーレートは、車両内部のセンサにより、容易に検出することができる。また、車両位置の推定は、車両速度をヨーレートの方向に積算することにより、比較的少ない計算量で容易に行うことができる。
【００１２】
前記走行状態検出データ補正手段は、前記走行状態検出データ及び前記走行状態算出データを蓄積データとして蓄積するとともに、前記蓄積データに基づいて、前記走行状態検出データの補正方法を決定する（請求項３対応）。この場合、走行状態検出データの補正方法の決定（例えば補正係数の算出）が蓄積データに基づいて行われるので、走行状態検出データの補正は、常時実行することができ、またデータの蓄積により補正の精度が向上する。
【００１３】
前記走行状態検出データ補正手段は、前記走行状態算出データ演算手段により算出された車両速度ＶMと、前記車両の車輪回転速度から算出された車両速度ＶCと、車両加速度ａXとからタイヤスリップ率λを算出するとともに、前記タイヤスリップ率λと前記車両加速度ａXのデータを前記蓄積データとして蓄積し、前記蓄積データの線形補間により、スリップ率と車両加速度ａXの関係式
λ＝Ｋ・ａX＋ｂ
における係数Ｋ及びｂを算出し、車両速度データに乗じるべき補正係数ＣSを、関係式
ＣS=１／（１−Ｋ・ａX−ｂ）
から算出する（請求項４対応）。この場合、車両速度の補正係数ＣSは、走行状態算出データ演算手段により算出された車両速度ＶMと、車両の車輪回転速度から算出された車両速度ＶCと、車両加速度ａXとから、容易に算出することができ、また車両加速度ａXを適切に反映したものとできる。
【００１４】
前記走行状態検出データ補正手段は、前記蓄積データが所定数以上蓄積されたときに、前記補正方法を更新する（請求項５対応）。この場合、補正方法の更新（例えば補正係数の更新）は、所定数以上の蓄積データに基づいて行われることになるので、適切に行うことができる。また、所定数以上のデータの蓄積毎に補正方法が更新されていくので、走行環境の変化に適切に対応していくことができる。
【００１５】
前記走行状態検出データ補正手段は、前記車両の走行環境の変化に応じて前記補正方法を変更する（請求項６対応）。この場合、走行状態検出データの補正方法（補正係数）を、走行環境に応じて選択することにより、走行環境が変化した場合でも適切な補正を行うことができる。
【００１６】
前記走行状態検出データ補正手段は、前記車両の走行環境が雨の降っている状態から雨が降り止んだ状態に変化した場合に、雨が降っている状態における補正方法を、雨が降り止んでから所定時間にわたって継続する（請求項７対応）。この場合、雨が降り止んだばかりで、雨が降っているときと同様に路面がスリップしやすいときには、雨が降っているときと同様の補正方法が採用されるので、走行状態検出データの補正を適切に行うことができる。
【発明の効果】
【００１７】
本発明によれば、車両の内部状態を検出して得られる走行状態検出データに基づいて、デッドレコニング（オドメトリ）による車両位置推定を行う車両位置推定装置において、外界情報（車両と周辺物との関係）から算出される走行状態算出データに基づいて、走行状態検出データを補正するので、デッドレコニング自体の精度が向上する。また、走行状態検出データの補正のための外界情報の取得は、取得可能なときに行っておけばよいので、外界情報が取得できないとき（マッピング対象物が存在しないとき）でも、走行状態検出データの補正を継続することができ、車両位置推定の精度を維持することができる。
【図面の簡単な説明】
【００１８】
【図１】本発明の車両位置推定装置における制御系の一例を示すブロック構成図。
【図２】本発明の車両位置推定装置における補正係数算出ための蓄積データのグラフへのプロット例を示す図。
【図３】本発明における補正係数演算処理の一例の処理手順を示すフローチャート。
【図４】従来技術におけるデッドレコニングを説明するための説明図。
【発明を実施するための形態】
【００１９】
以下、添付図面に基づいて本発明の実施形態について説明する。
【００２０】
図１は、本発明の一実施形態の車両位置推定装置における制御系を示すブロック図である。図示されるように、制御系は、マイクロコンピュータを利用して構成された演算装置Ｕを備えている。
また、制御系には、車両内部の状態を検出するための検出装置として車輪速センサ１及びヨーレートセンサ２が、また、車両外部の状態を検出するための検出装置としてカメラ３が備えられている。演算装置Ｕには、車輪速センサ１、ヨーレートセンサ２、カメラ３の各種検出装置からの信号が入力されるようになっている。
【００２１】
車輪速センサ１は、車両の車輪回転速度を検出するセンサであり、演算装置Ｕは、車輪速センサ１の検出値から車両速度を算出する。また、ヨーレートセンサ２は、車両のヨーレートを検出するセンサである。また、カメラ３は、車両周辺の外界情報（マップマッチングのためのマッチング対象物）を検出するための撮影手段である。
【００２２】
また、制御系には、環境地図データを記憶した記憶装置Ｍが備えられている。なお、記憶装置Ｍに記憶されている環境地図データは、予め用意された地図データでもよいし、ＳＬＡＭ技術を用いた場合のように、走行中に取得された情報に基づいて作成（変更）されるものであってもよい。
【００２３】
演算装置Ｕは、車輪速センサ１及びヨーレートセンサ２の検出値から求められた走行状態検出データ（車両速度及びヨーレート）を積算することにより、車両位置を推定する（デッドレコニングによる車両位置推定）。すなわち、演算装置Ｕは、ヨーレートにより決まる車両の方向に、車両速度により決まる車両の移動量を積算していくことにより、車両の移動ルートを算出し、これにより車両の位置を推定するようになっている。
【００２４】
また、演算装置Ｕは、カメラ３から取得された外界情報（車両の周辺物に対する関係）に基づいて、走行状態算出データ（例えばマップマッチングで算出される車両速度及び車両進行方向）を算出する。この場合、外界情報の取得は所定の周期で実行されるが、走行状態算出データの算出は、取得された外界情報に走行状態算出データの算出のために必要な特徴物（マッチング対象物）が含まれている場合にのみ実行されることになる。
【００２５】
演算装置Ｕは、マップマッチングにより算出された走行状態算出データと、車両内部のセンサ（車輪速センサ１及びヨーレートセンサ２）による検出に基づいて算出された走行状態検出データとを比較することにより、これら２つのデータ間の関係式（例えば補正係数）を算出し、走行状態検出データを、この関係式（補正係数）を用いて補正する。すなわち、マップマッチングにより算出された走行状態算出データ（車両速度及びヨーレート）は、実際値（現実の車両速度及びヨーレート）にほぼ等しい高精度のものであると考えられるのに対し、車両内部のセンサ（車輪速センサ１及びヨーレートセンサ２）による検出で得られた走行状態検出データは、実際値からの乖離が生じやすいものであるので、本発明においては、走行状態検出データを、走行状態算出データに基づく所定の関係式（補正係数）によって補正するようになっている。これにより、デッドレコニングで用いられる走行状態検出データは、より実際値に近いものとなり、デッドレコニングの精度が向上する。
【００２６】
なお、デッドレコニング（走行状態検出データの取得及び積算）は、高頻度（例えばサンプルレート＝１０ｍｓ）で実行されるのに対して、マップマッチング（外界情報の取得及び補正係数の算出）は、低頻度（例えばサンプルレート＝８０ｍｓ）で実行される。これにより、計算量の多いマップマッチングの実行頻度を少なくして、演算装置Ｕの演算負荷が低減されるようになっている。
【００２７】
次に、本実施形態における車両速度の補正係数ＣSの算出方法について、詳細に説明する。
【００２８】
車両の加速時においては、タイヤの内側と外側では内側の方が速く回転するため、タイヤには捩じれが生じ、このタイヤの捩じれにより発生する力（ばね力）により、車を進行方向に進める力（加速力）ＦXが発生する。ここで、車両に働く力ＦXは、タイヤにかかる荷重ＦZと路面の摩擦係数μから、
ＦX=ＦZ・μ…（１）
と表すことができる。
【００２９】
一方、路面の摩擦係数μとタイヤスリップ率λは、通常の車両速度の領域では線形関係を有していると考えられ、
μ=ｋ・λ…（２）
と表すことができる。また、車両に働く力Ｆxと車重ｍ及び車両加速度ａxの関係式は、
ＦX=ｍ・ａx…（３）
であるので、式（１）及び式（３）より、
ＦZ・μ=ｍ・ａX…（４）
の関係が得られる。さらに、この式（４）に式（２）を代入することにより、
ＦZ・ｋ・λ=ｍ・ａX…（５）
となるので、定数であるＦz、ｋ、ｍをまとめて、
λ=Ｋ・ａX…（６）
という関係が得られる。ここで、Ｋ＝ＦZ・ｋ／ｍである。
【００３０】
タイヤスリップ率λは、実車速ＶA及び車輪速から求められる車両速度（車輪速）ＶCを使って、
λ=（ＶA−ＶC）／ＶA…（７）
と表すことができる。したがって、上記式（６）及び式（７）から、
（ＶA−ＶC）／ＶA＝Ｋ・ａX…（８）
の関係式が得られる。
【００３１】
ここで、実車速ＶAは、実際の車両速度であるが、マップマッチングにより算出された車両速度ＶMは実車速ＶAとほぼ等しいと考えられるので、以下の補正係数の計算においては、上記式（７）及び（８）の実車速ＶAとして、マップマッチングにより算出された実測値である車両速度ＶMを用いる。また、車輪速ＶCは、車輪速センサ１の検出値に基づいて算出された車両速度であり、同じく実測値である。また、加速度ａXは、車両速度ＶA又は車輪速ＶCの変化率として求めることができる実測値である。
【００３２】
このように、ＶA及びＶAから決まるタイヤスリップ率λと車両加速度ａXは、実測データとして取得できるので、これらの実測データから、上記式（６）の係数Ｋを求めることができる。具体的には、タイヤスリップ率λと車両加速度ａxの関係を蓄積データとして蓄積していき、この蓄積データをグラフ上にプロットしていき、線形補間により加速度ａXとスリップ率λの線形関係式を求める。図２には、このようなグラフ上へのプロット及び線形補間の一例を示す。
【００３３】
この場合、一定速度での走行中（ａｘ＝０）であっても、実際のスリップ率λはゼロとならないため、加速度ａXとスリップ率λの関係式は、このずれ分を含む以下の式となる。
λ＝Ｋ・ａX＋ｂ…（９）
式（９）における傾きＫ及び切片ｂを求めることにより、これらの係数Ｋ及びｂを用いて、実車速ＶAと車輪速ＶCの間の補正係数ＣSが算出される。すなわち、上記式（７）及び（９）から、関係式
ＶA＝ＶC／（１−Ｋ・ａX−ｂ）…（１０）
が得られるので、補正係数ＣSは、１／（１−Ｋ・ａX−ｂ）となる。
【００３４】
このようにして、デッドレコニングで用いられる車両速度データとしては、車輪速ＶC（すなわち車輪速センサ１の検出値から算出された車両速度）に補正係数ＣSを乗じた値が採用される。これにより、デッドレコニングで用いられる車両速度データは、路面状況（スリップ率）が変化した場合等でも、実車速ＶAに近く精度の高い値に補正されるので、デッドレコニングの精度が向上する。また、補正係数ＣSは、マップマッピングにより外界情報から車両速度を算出可能なタイミングで計算され、蓄積されたデータに基づいて決められるので、マップマッピングを実行できないときでも、常時、補正係数ＣSによる車両速度データの適切な補正を行うことができる。
【００３５】
補正係数は、所定のタイミングで更新される。本実施形態では、蓄積データ（グラフ上へのタイヤスリップ率λと車両加速度ａxの関係のプロット数）が所定数以上蓄積される毎に、補正係数を新たな値に更新し、次回の更新まで、その補正係数を使用するようになっている。
【００３６】
補正係数の更新（変更）は、車両の走行環境の変化に応じて行うようにしてもよい。例えば、車両走行場所の天候をモニターしておき、天候の変化に応じて、補正係数を変更するようにしてもよい。一例として、走行環境が雨の降っている状態から雨が降り止んだ状態に変化した場合、補正係数の更新を、雨が降り止んでからも所定時間にわたって行わないようにする。これにより、雨が降り止んだばかりで、路面状況（スリップ率）が降雨時に近い状態にある間は、降雨時と同じ補正係数が用いられることになり、適切な補正を行うことができる。
【００３７】
また、補正係数決定のためのデータの蓄積を、異なる走行環境（例えば天候）毎に実行し、走行環境が変化した場合には、対応する走行環境時に蓄積されたデータに基づいて決定された補正係数を用いるようにしてもよい。これにより、走行環境に応じて、適切な走行状態検出データの補正を行うことができる。
【００３８】
なお、上述の説明では、走行状態検出データのうち、車両速度（車輪速ＶC）の補正について説明してきたが、ヨーレートについても、補正を行うことができる。例えば、ヨーレートセンサにより検出された車両のヨーレートＹSと、マップマッチングにより算出された車両のヨーレートＹMの間に、補正係数ＣYを乗じた線形関係： ＹM=ＣY・ＹSがあると仮定して、ヨーレートＹSとヨーレートＹMの比較により補正係数ＣYを算出し、ヨーレートＹSにこの補正係数ＣYを乗じた値（ＣY・ＹS）を、デッドレコニングに用いるヨーレートとしてもよい。
【００３９】
次に、図３のフローチャートを用いて、本実施形態における車両速度の補正係数演算処理の処理手順について、より詳細に説明する。本実施形態の車両位置制御装置においては、デッドレコニングによる車両位置推定に加えて、本フローチャートに示される補正係数演算処理（デッドレコニングで用いられる補正係数の算出）が繰り返し実行される。
【００４０】
補正係数演算処理においては、まずステップＳ１で、検出装置（カメラ３）からの差分情報（走行ルートの各地点における外界情報）を取得する。続くステップＳ２においては、ステップＳ１において取得された差分情報が、マップマッチング（例えばＳＬＡＭ技術）を用いて車両速度を算出するために利用可能な特徴量を含むものであるか否か（すなわち、車両速度を計算するために利用可能な特徴物が走行地点の環境地図に存在するか）の判断を行い、利用可能な特徴量が存在しない場合には、ステップＳ１に戻って、検出装置からの差分情報の取得を継続する。
【００４１】
一方、利用可能な特徴量が存在する場合には、ステップＳ３に進み、上記差分情報からマップマッチングを用いて車両速度ＶMを算出する。続くステップＳ４においては、車両速度ＶMと車輪速ＶC（車輪速センサ１から求められた車両速度）から求められるスリップ率λと、車両速度ＶM又は車輪速ＶCを微分して求められる車両加速度ａXを、蓄積データとしてグラフ上にプロットする。
【００４２】
ステップＳ５においては、所定数以上の蓄積データ（グラフ上へのプロット数）が蓄積されたか否かの判定がなされ、蓄積数が所定数に達していない場合には、ステップＳ１に戻り、ステップＳ１からステップＳ４の処理を繰り返す。
【００４３】
一方、ステップＳ５において、所定数以上のデータが蓄積されたと判定された場合には、ステップＳ６に進み、グラフ上にプロットされたスリップ率λ及び車両加速度ａXを線形補間することにより、スリップ率の関係式（上記式（９）：λ＝Ｋ・ａx＋ｂ）における傾きＫ及び切片ｂを求め、これらの値を用いて補正係数ＣS（=１／（１−Ｋ・ａx−ｂ））を算出（更新）して、１サイクルの処理を終了する。
【００４４】
以上、本発明の実施形態について説明したが、本発明は、上記実施形態に限定されるものではなく、特許請求の範囲に記載された範囲において適宜の変更が可能である。例えば、上記実施形態では、走行状態検出データの補正を、補正係数を乗じて行うようにしたが、走行状態検出データの補正方法は、これに限られるものではなく、走行状態検出データと走行状態算出データとの間に一次式以外の関数関係を仮定して、この関数関係を用いて走行状態検出データの補正を行うようにしてもよい。また、上記実施形態では、マップマッチングを、デッドレコニングに用いられる走行状態検出データの補正にのみ利用しているが、本発明はこのような形態に限定されるものではなく、必要に応じて、デッドレコニングにおける車両推定位置を、マップマッチングによって算出された車両推定位置に修正する制御を併用してもよい。
【産業上の利用可能性】
【００４５】
本発明は、デッドレコニングを用いた車両位置推定装置において、推定精度向上のために利用できる。
【符号の説明】
【００４６】
１  車輪速センサ
２  ヨーレートセンサ
３  カメラ
Ｕ  演算装置
Ｍ  記憶装置
【図１】
2017122960.tif 000003
【図２】
2017122960.tif 000004
【図３】
2017122960.tif 000005
【図４】
2017122960.tif 000006